(57)【要約】 【課題】  飲料水容器の保冷をより効果的に保冷し、アウトドア、イベント、宴会等の場所で、一味違った雰囲気がつくれ、又、間伐材の利用に促進。【解決手段】  樽型外箱の内面にアルミ箔(1-7)を貼り、底板内面にもアルミ箔を貼り、そして、内容器(1-3)の外面にアルミ箔(1-9)を貼り、アルミ箔(1-7)とアルミ箔(1-9)の間に断熱材(1-8)を設置したもので、容器上部にディスペンサー挿入ガイドを設置、それに、蓋(2)を設置した構造で、蓋にロック解除装置を搭載した機構の構造。【選択図】  図２
2013163544.tif 000002
【特許請求の範囲】
【請求項１】
樽型保冷容器本体(1)と容器蓋(2)に付随された、アルミ箔(1-7)，(2-1)を樽外箱の内面並びに、容器蓋内面に貼り付けて熱反射させ保冷効果を促す、又、内容器(1-3)の外面にもアルミ箔(1-9)を貼り、そして、アルミ箔(1-7)との間に断熱材を設ける事でより一層の保冷効果を上げる構造。
【請求項２】
内容器(1-3)に飲料水容器を挿入するにあたり、飲料水容器に設置されているソケットを定位置に導くためにガイド溝(1-4)が設けられ、又、ディスペンサー挿入のガイド(1-5)が設けられ、ディスペンサーを設置していない時は、そのガイド(1-5)にキャップ(1-6)で栓をする事で、容器内へ異物の進入を防ぐ事ができ、衛生面の確保が出来る構造。
【請求項３】
樽型保冷容器の持ち運びに関して、樽型保冷容器の上段箍後(1-11)を上に起こして手提に出来る機構で、用を足した後は元に戻せる構造。
【請求項４】
樽型保冷容器蓋(2)のロック出来る位置は、無制限になる様にロック溝(1-1)を全周に設けられている事で達成出来る、尚、蓋の縁はテーパーになっており、それに合う様に樽容器内側上面にもテーパーが施されて蓋を閉じた時に、パッキンを設けなくても、内部の気密が保たれ保冷効果が上がる機構で、蓋を樽容器に挿入する時、蓋の縁がテーパーになっているため、その行為が達成しやすい機構である構造。
【請求項５】
樽型保冷容器(1)に納まっている蓋(2)を取り外すにあたり、蓋(2)に設置された各々の機構(2-2，2-3，2-4，2-5，2-6，2-7，2-8)は左右対称であり、図４に示されている様に指を、指差し入れ蓋(2-6)へ挿入すると支点(2-7)を介して設置されたバネ(2-8)の力が負けて下に下がり、ロック解除レバー(2-5)を掴む事が出来、ロックロット(2-2)は内へ向かって動き、ロックは解除されて、蓋(2)は取り外す事が出来る、尚、その行為によりロック解除レバー(2-5)と蓋(2)を掴む事になり、その一連の機構で構成されている構造。
【発明の詳細な説明】
【技術分野】
【０００１】
本発明は、飲料水容器の保冷を目的とし、その飲料水容器の機能を促進させる効果が有り、尚、宴会等の席に宴会用のテーブルに、この樽型保冷容器を採用すれば会場の雰囲気を高揚させる作用がある、その樽型保冷容器の製造方法に関する。
【背景技術】
【０００２】
従来の保冷容器においては、保冷容器に直接飲料水を入れるタイプで飲料水の種類に限界が有り、例えば、炭酸飲料水等は向いていない、又、飲料水の取り出し口は下に有るため、脚付か台が必要で場所によっては様にならない、小さい保冷容器は水差し型である。
【先行技術文献】
【特許文献】
【０００３】
【特許文献１】特開平１１−２３６０９７号公報
【特許文献２】特願２０１２−１９４４８号
【発明の概要】
【発明が解決しようとする課題】
【０００４】
従来の保冷容器にあっては、保冷技術は簡易的なもので(魔法瓶類を除いて)外箱内面、内容器外面にアルミ箱を貼り付けたものがない。
【課題を解決するための手段】
【０００５】
上記目的を達成する為に、本発明の飲料水容器の樽型保冷容器においては、一体成型の手法を採用せず、樽型外箱の単体もしくは、二ツ割の製造方法の手法を取り入れて、アルミ箔を内面に貼る事が出来、又、内容器(1-3)外面にもアルミ箔を貼る事が出来、その間に断熱材(1-8)を入れる事が出来る。
【発明の効果】
【０００６】
本発明は、上記説明した様に構成されているので、以下に記載されるような効果を奏する。
【０００７】
保冷容器外箱に樽型を採用する事で、新しいデザイン性を生み、それを設置した周囲の雰囲気を変える事も出来る、又、その素材に間伐材を利用する事が出来、間伐材の付加価値を上げる事も出来、又、昨今、間伐の利用に苦慮している時に大いなる貢献が出来る。
【０００８】
保冷容器の一体成型でない手法であるが為にアルミ箔を二重に設置する事が出来、保冷効果を一段と上げる事が出来る。
【図面の簡単な説明】
【０００９】
【図１】本発明の樽型保冷容器  正面図
【図２】本発明の樽型保冷容器  左側面縦断面図
【図３】本発明の樽型保冷容器  平面図
【図４】樽型保冷容器蓋        縦断面図
【図５】ロックロット，連結バー，ロックレバー  (イ)平面図  (ロ)左側面図
【図６】上段箍後(1-11)・箍前(1-12)   (イ)平面図  (ロ)左側面図
【図７】ディスペンサー挿入ガイド  (イ)左側面縦断面図  (ロ)正面図
【図８】ディスペンサー挿入ガイドキャップ  (イ)正面図  (ロ)右側面図
【実施例１】
【００１０】
上記のように構成された、飲料水容器の樽型保冷容器、図面を参照して説明する。
図１において、樽型保冷容器の上段箍後(1-11)を手提げにした様を示している。又、正面上段にディスペンサー挿入ガイド(1-5)にキャップ(1-6)をしている姿を示し、樽容器底面にゴム板(1-10)を張り付けている形態を示している、これは、設置される所の面に傷をつけないためである。
【００１１】
図２に示される実施例では、樽型保冷容器(1)内へ飲料水容器が納まり、又、ディスペンサーが取り付けられる様を示している。そして、蓋においては、蓋がロックされている、そして、箍後(1-11)が起されている状態が示されている。
【００１２】
図３に示されている実施例にあっては、蓋(2)に指を差し入れ用の蓋(2-6)の位置関係が示され、図４に指を差し入れ蓋のロック解除レバー(2-5)を押し蓋(2)を掴んで、ロックを解除させた状態が示されている。図５は、ロック用ロット(2-2)とロック解除レバー(2-5)を連結させる、連結バー(2-4)が一体成型された状態を示している。
【００１３】
図６に示されている実施例は、樽の上段箍前後の関係が示され、その連結はネジでおこないネジは樽にネジ込まれ固定される、又、箍前(1-12)は釘で数ヶ所樽に打ちつけられ固定される。図７，図８はディスペンサー取り付けに関した部品図で、ディスペンサー挿入ガイド(1-5)と、そのキャップ(1-6)を示している。
【符号の説明】
【００１４】
１    樽外箱本体
1-1   ロック溝
1-2   底板
1-3   内容器
1-4   ソケットガイド溝
1-5   ディスペンサー挿入ガイド
1-6   挿入ガイドキャップ
1-7   アルミ箔
1-8   断熱材
1-9   アルミ箔
1-10  ゴム板
1-11  上段箍後
1-12  上段箍前
1-13  中段上箍
1-14  中段下箍
1-15  下段箍
２    保冷容器蓋
2-1   アルミ箔
2-2   ロックロット
2-3   スプリング
2-4   ロック連結バー
2-5   ロック解除レバー
2-6   指差し入れ用蓋
2-7   蓋支点
2-8   蓋復帰用バネ
３    キャップ耳挿入スペース
４    キャップ耳
５    キャップ開け用摘み耳
【図１】
2013163544.tif 000003
【図２】
2013163544.tif 000004
【図３】
2013163544.tif 000005
【図４】
2013163544.tif 000006
【図５】
2013163544.tif 000007
【図６】
2013163544.tif 000008
【図７】
2013163544.tif 000009
【図８】
2013163544.tif 000010